(57)【要約】　　　（修正有）【課題】おんぶ状態の使用にせよ、だっこ状態の使用にせよ、その装着時には各種ベルト、特に肩ベルトＢが使用者に緩みなくきっちりと密着する子守バンドを提供する。【解決手段】乳幼児支持部材１と、この乳幼児支持部材の乳幼児の頭部と胴部の間当たりから延出される左右の肩ベルト２と、この左右の肩ベルトの先にそれぞれ取り付けられる長さ調節部材３と、乳幼児支持部材の乳幼児の尻部当たりから延出される左右の腰ベルト４と、この左右の腰ベルトの中ほどと乳幼児の尻部当たりとにそれぞれ掛け渡される左右の足止めベルト５と、左右の腰ベルトの先にそれぞれ取り付けられるベルト挿通部材６と、左右の長さ調節部材に各一端側が抜き差し移動自在にそれぞれ挿着される左右の接続ベルト７と、この左右の接続ベルトの各他端側７ａにそれぞれ取り付けられる左右一対の着脱式係止部材８とで構成される。【選択図】　　　　図２
0003097462.tif 000002
【実用新案登録請求の範囲】
【請求項１】
幼児の頭部、胴部、尻部などを支持する乳幼児支持部材と、この乳幼児支持部材の前記乳幼児の頭部と胴部の間に相当する位置当たりから延出される左右の肩ベルトと、この左右の肩ベルトの先にそれぞれ取り付けられる長さ調節部材と、前記乳幼児支持部材の前記乳幼児の尻部に相当する位置当たりから延出される左右の腰ベルトと、この左右の腰ベルトの中ほどと前記乳幼児の尻部に相当する位置当たりとにそれぞれ掛け渡される左右の足止めベルトと、前記左右の腰ベルトの先にそれぞれ取り付けられるベルト挿通部材と、前記左右の長さ調節部材に各一端側が抜き差し移動自在にそれぞれ挿着される左右の接続ベルトと、この左右の接続ベルトの各他端側にそれぞれ取り付けられる左右一対の着脱式係止部材とで構成され、
かつ乳幼児をおんぶ又はだっこするときには、乳幼児を前記乳幼児支持部材に保持した状態で前記左右の肩ベルトを使用者の肩からまわしてクロスさせてそれぞれの先の前記接続ベルトを各ベルト挿通部材に通して前記左右一対の着脱式係止部材を係合した後、前記左右の長さ調節部材において前記接続ベルトの挿入長さを調節して前記左右の肩ベルトの長さ調節を行うようにしたことを特徴とする子守バンド。
【考案の詳細な説明】
【０００１】
【考案の属する技術分野】
この考案は、おんぶだっこ兼用の子守バンドに関するものである。
【０００２】
【従来の技術】
従来、乳幼児をおんぶ状態でもだっこ状態でも保持することが可能な子守バンドとしては、例えば図３に示すような子守バンドが一般的なものとして知られている。
【０００３】
この子守バンドは、図３に示すように頭部支持片Ａ１と胴部支持片Ａ２とからなる乳幼児支持部材Ａと、この乳幼児支持部材Ａの頭部支持片Ａ１と胴部支持片Ａ２との接続部付近から延出される左右の肩ベルトＢと、胴部支持片Ａ２の下部から延出される左右の腰ベルトＣとで構成されている。
【０００４】
また、左右の肩ベルトＢの先にはそれぞれ係合片Ｂ１，Ｂ２が、左右の腰ベルトＣの先にはそれぞれ互いに係合可能な係合片Ｃ１及び係合部Ｃ２が、腰ベルトＣの中ほどには係合片Ｂ１，Ｂ２と係合可能な係合部Ｂ３，Ｂ４がそれぞれ取り付けられている。
【０００５】
図３に示す子守バンドをおんぶ状態で使用するためには、図４に示すように左右の腰ベルトＣの係合片Ｃ１及び係合部Ｃ２を前方で係合させると共に、左右の肩ベルトＢを背中から前にまわしてクロスさせて係合片Ｂ１と係合部Ｂ４、係合片Ｂ２と係合部Ｂ３をそれぞれ腰部で係合させることにより使用する。
【０００６】
また、図３に示す子守バンドをだっこ状態で使用するためには、図５に示すように左右の腰ベルトＣの係合片Ｃ１及び係合部Ｃ２を後方で係合させると共に、左右の肩ベルトＢを前から背中にまわしてクロスさせて係合片Ｂ１と係合部Ｂ４、係合片Ｂ２と係合部Ｂ３をそれぞれ腰部で係合させることにより使用する。
【０００７】
【考案が解決しようとする課題】
この種の子守バンドは、おんぶ状態の使用にせよ、だっこ状態の使用にせよ、その装着時には各種ベルト、特に肩ベルトＢが使用者に緩みなくきっちりと密着する必要がある。
【０００８】
ところが、従来のこの種の子守バンドは前記したようにおんぶ状態の使用とだっこ状態の使用とでは装着時の肩ベルトＢの長さが異なる、つまり図４及び図５から明らかなように乳幼児の保持位置がだっこ状態の方がおんぶ状態よりも下に位置する関係で、だっこ状態の方がおんぶ状態よりも肩ベルトＢの長さが長く必要になるために、使用者は装着前にこの異なる使用状態による肩ベルトＢの長さの違いとさらには乳幼児の成長具合（大きさ）や使用者自身の体格をも考えて、予め肩ベルトＢの長さを調節しておく必要があるが、この装着前の想定による肩ベルトＢの長さ調節は使用者（特にご婦人）にとってはなかなか難しく、一回で肩ベルトＢが緩みなくきっちりと密着するしっかりした装着ができず、肩ベルトＢがだぶつき乳幼児の保持位置が下がって危険であるために装着のやり直しを強いられることにもなるし、また急な使用状態の変更にはすぐさま対応できずに不便さがあるという問題点がある。
【０００９】
【課題を解決するための手段】
この考案に係る子守バンドはかかる問題点を解消するためになされたもので、乳幼児を乳幼児支持部材に保持した状態で左右の肩ベルトをクロスさせてそれぞれの先の接続ベルトを各ベルト挿通部材を通して左右一対の着脱式係止部材を係合した後、左右の長さ調節部材において接続ベルトの挿入長さを調節して左右の肩ベルトの長さ調節を行うようにすることにより、おんぶ状態とだっこ状態のいずれの使用においても使用者は装着してから肩ベルトの長さ調節を行って肩ベルトを使用者に緩みなくきっちりと密着させることができるので、使用者は装着前に使用状態による肩ベルトの長さの違いと共に乳幼児の成長具合（大きさ）や使用者自身の体格をも考えて予め肩ベルトの長さを調節するというやっかいな想定作業をせずにすむし、急な使用状態の変更にも使用者は装着後に肩ベルトの長さ調節を行うことにより難なく対応できるし、その装着も肩ベルトが使用者に緩みなくきっちりと密着して乳幼児を正しい保持位置にしっかり保持することができる。
【００１０】
【考案の実施の形態】
この考案の一実施の形態を図１、図２について説明する。図１は本子守バンドを平面的に示す概略図、図２は図１の使用状態を示す図である。
【００１１】
図において、１は頭部支持片１ａ、胴部支持片１ｂ、尻部支持片１ｃからなる乳幼児支持部材、２は乳幼児支持部材１の胴部支持片１ｂの上部から延出した左右の肩ベルト、３は左右の肩ベルト２の先にそれぞれ取り付けた長さ調節部材、４は乳幼児支持部材１の尻部支持片１ｃから延出した左右の腰ベルト、５は左右の腰ベルト４の中ほどと乳幼児支持部材１の尻部支持片１ｃとにそれぞれ掛け渡した左右の足止めベルト、６は左右の腰ベルト４の先にそれぞれ取り付けたベルト挿通部材、７は各長さ調節部材３に各一端側７ａが抜き差し移動自在にそれぞれ挿着した左右の接続ベルト、８は左右の接続ベルト７の各他端側にそれぞれ取り付けた左右一対の着脱式係止部材で、例えば係合部８ａと係合片８ｂとからなるワンタッチ式バックルにより構成されている。
【００１２】
図１の状態において、左右の接続ベルト７の一端側７ａを各長さ調節部材３にそれぞれ折り返し挿着して取り付けると、図２に示すように左右の接続ベルト７が各長さ調節部材３により左右の肩ベルト２にそれぞれ接続されるので、その一端側７ａを引っ張ると接続ベルト７の長さが短くなり、接続ベルト７の中ほど側を引っ張ると接続ベルト７の長さが長くなる、つまり左右の肩ベルト２のそれぞれの長さをフリーに変化させることができる。
【００１３】
こうして左右の接続ベルト７を各長さ調節部材３にそれぞれ取り付けた後、乳幼児を乳幼児支持部材１に保持した状態（乳幼児の両足をそれぞれ左右の足止めベルト５の内側に差し込んだ状態）で、左右の肩ベルト２を使用者の肩にまわしてクロスさせた後、左右の接続ベルト７の係合部８ａ及び係合片８ｂ側をそれぞれのベルト挿通部材６に通してから左右一対の着脱式係止部材８として係合させる。
【００１４】
こうした状態、つまり図２に示す状態で本子守バンドは使用者に装着されるが、かかる状態では左右の肩ベルト２に余裕のある仮止めの状態となっているので、左右の接続ベルト７の一端側７ａを引っ張って左右の肩ベルト２を締めることにより、乳幼児支持部材１の位置つまり乳幼児の保持位置を使用者の適宜位置に定めることができる。
【００１５】
このように使用者は装着状態で左右の肩ベルト２の長さを簡単に調節できるので、例えおんぶ状態であってもだっこ状態であってもその左右の接続ベルト７の長さの長短に自在に対応できると共に、装着してからも乳幼児の成長具合（大きさ）や使用者の体格の違いからくる微妙な左右の肩ベルト２の長さの変化に対しても自在に左右の肩ベルト２の長さを微調節して対応することができる。
【００１６】
乳幼児支持部材１における頭部支持片１ａは、胴部支持片１ｂに対して取り外しが可能であるので、不要なときには外して頭部支持片１ａのない乳幼児支持部材１として使用できるし、外して頭部支持片１ａを清潔にすることも可能である。また、頭部支持片１ａは図１に示すように胴部支持片１ｂに深く挿入してあるので、乳幼児の頭部は勿論、胴部に至るまでまとめてしっかりと保持でき、乳幼児の正しい姿勢の保持に役立つ。
【００１７】
左右の肩ベルト２には、図１に示すようにクッションを付けておくと、使用者への肩の負担が軽くなるし、乳幼児への当たりも柔らかくなる。
左右の長さ調節部材３、左右のベルト挿通部材６及び左右一対の着脱式係止部材８を全て合成樹脂製としておくと、肌ざわりがよく、安全性に適したものとなる。
【００１８】
【考案の効果】
以上のように、この考案によれば乳幼児を乳幼児支持部材に保持した状態で左右の肩ベルトをクロスさせてそれぞれの先の接続ベルトを各ベルト挿通部材を通して左右一対の着脱式係止部材を係合した後、左右の長さ調節部材において接続ベルトの挿入長さを調節して左右の肩ベルトの長さ調節を行うので、おんぶ状態とだっこ状態のいずれの使用においても使用者は装着してから肩ベルトの長さ調節を行って肩ベルトを使用者に緩みなくきっちりと密着させることができ、使用者は装着前に使用状態による肩ベルトの長さの違いと共に乳幼児の成長具合（大きさ）や使用者自身の体格をも考えて予め肩ベルトの長さを調節するというやっかいな想定作業をせずにすむし、急な使用状態の変更にも使用者は装着後に肩ベルトの長さ調節を行うことにより難なく対応できるし、その装着も肩ベルトが使用者に緩みなくきっちりと密着して乳幼児を正しい保持位置にしっかり保持することができるという効果が得られる。
【図面の簡単な説明】
【図１】この考案の一実施の形態を示す子守バンドの平面的な概略図である。
【図２】図１の使用状態を示す図である。
【図３】従来の一般的な子守バンドを示す平面的な図である。
【図４】図３の子守バンドのおんぶ状態を示す図である。
【図５】図３の子守バンドのだっこ状態を示す図である。
【符号の説明】
１　　乳幼児支持部材
２　　肩ベルト
３　　長さ調節部材
４　　腰ベルト
５　　足止めベルト
６　　ベルト挿通部材
７　　接続ベルト
７ａ　接続ベルト７の一端側
８　　着脱式係止部材
【図１】
0003097462.tif 000003
【図２】
0003097462.tif 000004
【図３】
0003097462.tif 000005
【図４】
0003097462.tif 000006
【図５】
0003097462.tif 000007